(57)【特許請求の範囲】
【請求項１】
床スラブ上に支持脚が立設され、この支持脚に載置された大引の上面に固定される板状の上部固定プレートと、
この上部固定プレートに上端部が固定され、斜め下方に傾斜する伸縮可能な支持棒部と、
床スラブに固定される基板に立上り板を立設し、この立上り板に上記支持棒部の下端部を回動可能に支持させた下部固定プレートとを有することを特徴とする床ブレース。
【請求項２】
板体の一部にこの板体と所定の角度を有する屈曲板部を設けて上記上部固定プレートを形成し、この屈曲板部に上記支持棒部の上端部を固定したことを特徴とする請求項１記載の床ブレース。
【発明の詳細な説明】
【０００１】
【発明の属する技術分野】
本発明は、床下地に用いられる大引を補強する床ブレースに関する。
【０００２】
【従来の技術】
従来、床下地に用いられる大引の補強のため、図５に示す床ブレース５１，５２が用いられていた。この床ブレースは、例えば大引５３を補強する場合、大引５３をこれと平行方向の振動から補強するときには支持材５４が直線状の床ブレース５１が用いられ、大引５３をその長手方向と直交する振動から補強するときには支持材５４の上部が屈曲した床ブレース５２が用いられる。
【０００３】
上記床ブレース５１は、アングル鋼からなる支持材５４と、この支持材５４の下端部を固定する固定板５５とからなっている。この床ブレース５１は、大引５３に沿って平行に配置され、固定板５５を止着具を用いて床スラブに固定し、支持材５４の上部は大引５３の側面にビス等を用いて固定する。
【０００４】
一方、上記床ブレース５２は、支持材５４と、この支持材５４の上端から水平方向に屈曲して延設した屈曲部５６と、支持材５４の下端部を固定する固定板５５とからなっている。この床ブレース５２は、大引５３に対して直交する方向に設置して上記屈曲部５６を大引５３の上面に配置し、固定板５５を床スラブに固定し、一方ビス等を用いて屈曲部５６を大引５３の上面に固定する。このように従来は、大引５３を補強する方向に応じて、それぞれ別種類の床ブレース５１，５２が用いられていた。
【０００５】
【発明が解決しようとする課題】
このように、上記床ブレース５１，５２は、それぞれ形状が異なることから、製造上、また施工上においても生産、管理等に手間を要することになる。また、このような床ブレース５１，５２を床スラブの不陸面に設置した場合、例えば４５度に設定された支持材５４の角度が、不陸による固定板５５の傾斜角によって変化したり、或いは支持材５４或いは屈曲部５６が大引５３の所定部位からずれてその固定に支障をきたすという問題がある。また、床ブレース５１，５２の構造が所定の耐振規定に適合せず、その都度固定部５５の規格を見直していた。
【０００６】
本発明は、上記問題点に鑑みてなされたものであり、大引に対して自由な向きに安定して設置ができるとともに、施工性、経済性にもすぐれた床ブレースを提供することを目的とする。
【０００７】
【課題を解決するための手段】
以上の技術的課題を解決するため、本発明に係る床ブレースは、図１に示すように、床スラブ上に支持脚２０が立設され、この支持脚２０に載置された大引３１の上面に固定される板状の上部固定プレート１と、この上部固定プレート１に上端部が固定され、斜め下方に傾斜する伸縮可能な支持棒部５と、床スラブに固定される基板１１に立上り板１２を立設し、この立上り板１２に上記支持棒部５の下端部を回動可能に支持させた下部固定プレート１４とを有する構成である。
【０００８】
また、本発明に係る床ブレースは、板体の一部にこの板体と所定の角度を有する屈曲板部４を設けて上記上部固定プレート１を形成し、この屈曲板部４に上記支持棒部５の上端部を固定した構成である。
【０００９】
【発明の実施の形態】
以下本発明に係る床ブレースの実施の形態を図面に基づいて説明する。
【００１０】
図１は上記床ブレースを示したものである。この床ブレース１５は、図１（ａ）に示すように、大引の上面に固定される上部固定プレート１、両端が固定され所定の傾斜角度を有する支持棒部５、及び床スラブ３０に固定される下部固定プレート１４を有し、全体が鋼材よりなっている。
【００１１】
上記上部固定プレート１は、矩形状の板材の一辺の略中央部から中心部に向けて切り込まれ、この中心部から切り込み１７と直交する方向を境界１８にして折り曲げ、略板材の１／４程度の大きさの屈曲板部４を形成する。これにより、板材は切り込み１７の線を延長した片半の平面状の第一の面部２及び、境界１８の線を延長した片半の平面状の第二の面部３を有する。
【００１２】
上部固定プレート１の屈曲板部４は、通常、上記面部２，３とのなす角度（鈍角）を１３５度程度として支持棒部５の傾斜角度を４５度とするが、この角度は他に１２０度（図１（ｂ））、或いは１５０度（図１（ｃ））等としてもよい。なお、上記上部固定プレート１の一部に屈曲板部４を形成して支持棒部５の傾斜角度を得る方法の他、支持棒部５の先端部を所定角度に折り曲げて、支持棒部５の傾斜角度を得る方法等がある。
【００１３】
支持棒部５は、上部支持棒６と下部支持棒７及びこれら支持棒６，７同士を螺合により連結するスリーブ状の連結ナット８を有している。上部支持棒６の上部は、上記上部固定プレート１の屈曲板部４に溶接等により固定され、下部は螺子が切られている。また、下部支持棒７の上部は螺子が切られており、下端部には溶接等によりはご板片９が取り付けられている。上部支持棒６と下部支持棒７とは、それぞれスリーブ状の調整ナット８と螺合しており、支持棒部５の長さ調節が可能である。
【００１４】
下部固定プレート１４は、基板１１と、この基板１１を二分する位置に立設された立上り板１２とを有している。下部固定プレート１４の立上り板１２の略中央部に設けた孔と、上記支持棒部５に取付けたはご板片９の下部との部位に設けた孔に、軸棒１０が挿通され、下部固定プレート１４に対して支持棒部５を回動可能に連結している。
【００１５】
図２は、上記床ブレース１５を、大引３１の補強に用いた場合の使用形態例を示したものである。この大引３１は、断面略ロ字状の下面の中央に、長手方向に開口部３８を有する形状の鋼材である。大引３１の方向と平行な方向の振動について補強する場合には、大引３１と平行に床ブレース１５を配置し、この場合は、上部固定プレート１の第一の面２を大引３１の上面部３７に配置する。そして、床ブレース１５の屈曲板部４の側面を大引３１の側面に当接させて位置決めをし、この状態で第一の面２を大引３１に固定する。
【００１６】
また、大引３１と直角方向の振動について補強する場合には、大引３１と直角に床ブレース１５を配置し、この場合は、上部固定プレート１の第二の面３を大引３１の上面部３７に配置する。そして、床ブレース１５の屈曲板部４の屈曲の境界線の部位を大引３１の角部に位置させ、この状態で第二の面３を大引３１に固定する。
【００１７】
図３は、上記床ブレース１５を床構造に用いた例を示したものである。この床構造では、床スラブ３０に立設された支持脚２０に台座３９を介して大引３１を載置している。上記支持脚２０は、断面ハット状の台座２２、調整ボルト２３、及び受け部２１を有している。
【００１８】
この受け部２１は、中空円板状の下部板２６と中空円形状の上部板２８との間に貫通孔を設けた弾性体２７を挟持したものである。受け部２１の下部板２６の中央下部にはナット２５が固定され、このナット２５に調整ボルト２３の上部を螺合する一方、台座２２の上板２９に貫通孔を設けてこの部位を上下からナット２４で挟み、これらナット２４に調整ボルト２３の下部を螺合している。
【００１９】
上記支持脚２０に載置した大引３１を補強するため、さらに上記床構造では、大引３１と直交する方向に床ブレース１５を設置し、また大引３１と平行する方向に床ブレース１５を設置している。このような床ブレース１５は、適宜、大引３１の補強を要する箇所に設置し、補強すべき方向に応じた向きに配置する。
【００２０】
床ブレース１５を設置する際には、調整ナット８を回して支持棒部５の長さを調整する。支持棒部５の設置角度は、用いられる床ブレース１５の上部固定プレート１の屈曲板部４の折曲げ角度によって決められる。
【００２１】
支持棒部５の長さを調整し、下部固定プレート１４を床スラブ３０面に当接させた状態で、上部固定プレート１が大引３１の上部面にバランスよく当接する状態にする。支持棒部５の長さが決まれば、固定ピン３５を用いて下部固定プレート１４を床スラブ３０に固定する。
【００２２】
この場合例えば、図４に示すように、床スラブ３０の表面に不陸３８があり、床スラブ３０面が部分的に傾斜している場合には、不陸３８に沿って傾斜した状態で下部固定プレート１４を固定する。上記床ブレース１５は、下部固定プレート１４が傾いた場合であっても、下部固定プレート１４に対して支持棒部５は回動可能に連結されているので、支持棒部５自体の設置角度は変化しない。そして、上部固定プレート１は、大引３１の上面にバランスよく当接するので、ビス３６等の止着具を用いて上部固定プレート１を大引３１に固定する。
【００２３】
そして、上記大引３１の上に、台座４０を介して大引３１と直角に根太３２を載置する。この根太３２は断面ハット状の鋼材からなっている。さらに根太３２の上に捨板３３を配置し、この床下地板３３の上に床材３４を敷設して仕上げる。
【００２４】
なお、上記実施の形態に係る床ブレース１５は、他に木製等の大引に対しても適用できる。また、大引を用いないで支持脚２０に直接根太を載置する床構造、或いは根太同士をクロスさせた床構造の場合には、これら根太に対して上記床ブレース１５を大引の場合と同様にして用いることができる。
【００２５】
従って、上記実施の形態においては、床ブレース１５を大引の長手方向、或いはこれと直交する方向等いずれの方向に設置する場合であっても、同一の床ブレース１５で足りるので、床ブレース１５の生産が効率的に行えて経済的であり、また床ブレース１５は単一種類なので維持管理に煩わされることがなく、施工もはかどるという効果がある。また、大引の高さに応じて支持棒部５の長さを調整することができ、下部固定プレート１４が床スラブに安定して固定される。
【００２６】
さらに、床スラブ３０に不陸があり床ブレース１５の下部固定プレート１４が傾斜する場合であっても、支持棒部５は回動可能に下部固定プレート１４と連結されており、これと支持棒部５の長さの加減により、大引に対して支持棒部５を常に一定した傾斜角度（例えば４５度）に維持でき、床ブレース１５の固定が安定し、大引等の振動に対して強固に補強が行える。また、この床ブレース１５は、大引に対して必要に応じて自由な数だけ固定でき、上記床ブレース１５は、大引、根太の床組時に、床高さ床積載重量が増えたとき、床水平方向の加速度計算要件に耐えられ性能も安定している。
【００２７】
【発明の効果】
以上説明したように、本発明に係る床ブレースによれば、大引の上面に固定される板状の上部固定プレート、伸縮可能な支持棒部及び基板に立設された立上り板に支持棒部を回動可能に支持させた下部固定プレートを有する構成を採用したから、床ブレースを大引の長手方向或いは直交する方向等いずれの方向に設置する場合であっても、同一の床ブレースを用いることができ、経済的であり維持管理も容易となり、また施工もはかどり、加えて、床スラブの不陸により下部固定プレートが傾斜しても、支持棒部は一定した傾斜角度が維持でき、大引の支持が安定し振動に対して強固に補強が行えるという効果がある。
【００２８】
また、本発明に係る床ブレースによれば、上部固定プレートの一部に設けた屈曲板部に支持棒部を固定した構成を採用したから、この屈曲板部を基準とすることで大引に対して上部固定プレートの位置決めが容易に行えるという効果がある。
【図面の簡単な説明】
【図１】本発明の実施の形態に係る床ブレースを示す図であり、（ａ）は全体図、（ｂ）は屈曲板部の角度が１２０度の場合の部分図、（ｃ）は屈曲板部の角度が１５０度の場合の部分図をそれぞれ示す。
【図２】本発明の実施の形態に係り床ブレースの使用形態例を示す図である。
【図３】本発明の実施の形態に係る床ブレースを用いた床構造を示す図である。
【図４】実施の形態に係り床スラブに不陸がある場合の床ブレースの形態を示す図である。
【図５】従来例に係る床ブレースを示す図である。
【符号の説明】
１  上部固定プレート
４  屈曲板部
５  支持棒部
１１  基板
１２  立上り板
１４  下部固定プレート
２０  支持脚
３１  大引
【図１】
0003634653.tif 000002
【図２】
0003634653.tif 000003
【図３】
0003634653.tif 000004
【図４】
0003634653.tif 000005
【図５】
0003634653.tif 000006